(57)【要約】【課題】第１ベースと第２ベースとが設計寸法よりも離れた状態で連結され難い照明器具を提供する。【解決手段】照明器具１は、第１ベース２１、第２ベース２２及び連結具４を備えている。連結具４は、第１ベース２１と第２ベース２２とを連結する。連結具４は、第１固定部４１、第２固定部４２及び接続部４３を有している。第１固定部４１は、第１ベース２１に対して固定可能である。第２固定部４２は、第２ベース２２に対して固定可能である。接続部４３は、第１固定部４１と第２固定部４２とをつないでいる。連結具４は、第１固定部４１が第１ベース２１に固定され、かつ、第２固定部４２が第２ベース２２に固定された固定状態において、第１固定部４１と第２固定部４２とを近づける方向の弾性力を発生させる。【選択図】図４
2020087760.tif 000002
【特許請求の範囲】
【請求項１】
第１ベースと、
第２ベースと、
前記第１ベースと前記第２ベースとを連結する連結具とを備え、
前記連結具は、
前記第１ベースに対して固定可能な第１固定部と、
前記第２ベースに対して固定可能な第２固定部と、
前記第１固定部と前記第２固定部とをつないだ接続部とを有し、
前記連結具は、前記第１固定部が前記第１ベースに固定され、かつ、前記第２固定部が前記第２ベースに固定された固定状態において、前記第１固定部と前記第２固定部とを近づける方向の弾性力を発生させる、
照明器具。
【請求項２】
前記第１ベース及び前記第２ベースの各々は、直線状に形成されており、
前記第１ベースと前記第２ベースとが前記第１ベースの長さ方向に並んだ状態において、前記第１固定部及び前記第２固定部は、前記第１ベース及び第２ベースに対してそれぞれ固定可能である、
請求項１に記載の照明器具。
【請求項３】
前記第１固定部は、前記第１ベースに引っ掛けられることで、前記第１ベースに対して固定され、
前記第２固定部は、ねじによって前記第２ベースに固定される、
請求項１又は請求項２に記載の照明器具。
【請求項４】
前記連結具は、前記第１固定部が前記第１ベースに引っ掛けられた状態で、前記第２固定部が前記ねじによって前記第２ベースに固定される際に、このねじによって前記第２固定部が押される力により弾性変形して前記弾性力を発生させる、
請求項３に記載の照明器具。
【請求項５】
前記連結具は、
前記第２ベースに引っ掛け可能な引掛部を有し、
前記連結具は、前記第２固定部が前記ねじによって前記第２ベースに固定されず、前記第１固定部が前記第１ベースに引っ掛けられ、かつ、前記引掛部が前記第２ベースに引っ掛けられた引掛状態において、前記第１固定部と前記引掛部とを近付ける方向の弾性力を発生させる、
請求項３又は請求項４に記載の照明器具。
【発明の詳細な説明】
【技術分野】
【０００１】
本開示は、照明器具に関する。
【背景技術】
【０００２】
特許文献１には、直線状に配列された照明器具同士を連結する連結金具が開示されている。この連結金具は、両端に形成された固定部が、隣り合う照明器具の各々に穿設された取付孔に挿入される。これにより、隣り合う照明器具が、連結金具によって連結される。
【先行技術文献】
【特許文献】
【０００３】
【特許文献１】特開２０００−２１２２８号公報
【発明の概要】
【発明が解決しようとする課題】
【０００４】
ところで、上述した連結金具にあっては、連結金具及び照明器具の各々の寸法誤差や施工誤差等を要因として、隣り合う照明器具が設計寸法よりも離れた状態で連結される可能性がある。
【０００５】
本開示は上記事由に鑑みてなされており、第１ベースと第２ベースとが設計寸法よりも離れた状態で連結され難い照明器具を提供することを目的とする。
【課題を解決するための手段】
【０００６】
本開示の一態様に係る照明器具は、第１ベース、第２ベース及び連結具を備えている。前記連結具は、前記第１ベースと前記第２ベースとを連結する。前記連結具は、第１固定部、第２固定部及び接続部を有している。前記第１固定部は、前記第１ベースに対して固定可能である。前記第２固定部は、前記第２ベースに対して固定可能である。前記接続部は、前記第１固定部と前記第２固定部とをつないでいる。前記連結具は、前記第１固定部が前記第１ベースに固定され、かつ、前記第２固定部が前記第２ベースに固定された固定状態において、前記第１固定部と前記第２固定部とを近づける方向の弾性力を発生させる。
【発明の効果】
【０００７】
前記一態様に係る照明器具は、第１ベースと第２ベースとが設計寸法よりも離れた状態で連結されることを抑制できる。
【図面の簡単な説明】
【０００８】
【図１】図１は、一実施形態に係る照明器具の斜視図である。
【図２】図２は、同上の照明器具の分解斜視図である。
【図３】図３は、同上の照明器具の要部を一部断面で示した分解斜視図である。
【図４】図４は、同上の第１ベースと第２ベースとの連結部分を一部断面で示した斜視図である。
【図５】図５は、同上の照明器具が備える連結具の斜視図である。
【図６】図６は、同上の連結具の別の斜視図である。
【図７】図７は、同上の第１ベースと第２ベースとの連結部分を示した断面図である。
【図８】図８は、同上の第１ベースと第２ベースとを連結する直前の状態を示した図７に対応する断面図である。
【図９】図９は、同上の照明器具が備える光源ユニットの分解斜視図である。
【発明を実施するための形態】
【０００９】
以下に示す実施形態は、照明器具に関し、詳しくは、一対のベースが連結具によって連結される照明器具に関する。
【００１０】
図１に示す本実施形態の照明器具１は、天井に施工される照明器具であって、例えば、図２に示すように、天井材９１に対して施工される。
【００１１】
本実施形態の照明器具１は、器具本体２と、光源装置５とを備えている。器具本体２は、一対のベース２１，２２と、一対のベース２１，２２を連結する連結具４とを有している。
【００１２】
一対のベース２１，２２は、第１ベース２１と、第２ベース２２とで構成されている。照明器具１は、第１ベース２１及び第２ベース２２が、天井材９１に沿って一方向に並んだ状態で設置される。以下、照明器具１の各要素について、照明器具１が設置された状態における方向を用いて説明する。具体的には、第１ベース２１と第２ベース２２とが並ぶ方向を左右方向と定義し、左右方向と直交する水平な方向を前後方向と定義する。また、第１ベース２１から第２ベース２２に向かう方向を右方とし、第２ベース２２から第１ベース２１に向かう方向を左方とする。
【００１３】
本実施形態の第１ベース２１と第２ベースと２２とは、同様の構成を有している。このため、以下では、第１ベース２１について詳述し、第２ベース２２において第１ベース２１と共通する点については、説明を省略する。
【００１４】
第１ベース２１は、左右方向に延びた直線状で、かつ、長尺な部材である。第１ベース２１は、ベース本体２３と、一対の反射板２４とを有している。一対の反射板２４は、光源装置５から発せられた光を下方に向かって反射する。
【００１５】
ベース本体２３は、左右方向に延びた直線状で、かつ、長尺な部材である。ベース本体２３は、例えば、金属製であって、金属板を曲げ加工することにより形成される。本実施形態のベース本体２３は、左右方向に延びた溝状に形成されており、底板２５と、一対の側板２６（図３参照）とを有している。
【００１６】
底板２５は、厚み方向が上下方向と平行で、かつ、長さ方向が左右方向と平行な矩形の板状に形成されている。一対の側板２６（図３参照）は、前後方向に並んでおり、底板２５における前後方向の両端部から下方に向かって突出している。各側板２６は、底板２５における左右方向の全長にわたって形成されている。ベース本体２３には、底板２５と一対の側板２６とで構成され、下方に開口した溝部２７が形成されている。
【００１７】
本実施形態の器具本体２は、複数の電線用孔２８と、複数のボルト用孔２９を更に有している。本実施形態では、第１ベース２１及び第２ベース２２の各々に、複数の電線用孔２８及び複数のボルト用孔２９が形成されている。各電線用孔２８及び各ボルト用孔２９は、第１ベース２１の底板２５を上下方向に貫通している。
【００１８】
図４に示すように、本実施形態の第１ベース２１及び第２ベース２２は、第１掛止部材３１と第２掛止部材３２とを有している。第１掛止部材３１は、第１ベース２１における第２ベース２２側（右側）の端部に取り付けられており、第２掛止部材３２は、第２ベース２２における第１ベース２１側（左側）の端部に取り付けられている。
【００１９】
本実施形態の連結具４は、第１掛止部材３１と第２掛止部材３２との両者に引っ掛けられ、この状態で、ねじ１０によって第２ベース２２に固定される。これにより、第１ベース２１と第２ベース２２とは、連結具４によって連結される。
【００２０】
第１掛止部材３１は、第１ベース２１の溝部２７の内側に位置している。第１掛止部材３１は、例えば、金属製であって、金属板を曲げ加工することにより形成される。本実施形態の第１掛止部材３１は、板状部３３、一対の固着部３４及び掛止部３５を有している。以下、掛止部３５を第１掛止部３５という。板状部３３は、前後方向に延びた矩形の板状に形成されており、第１ベース２１の底板２５の下面から下方に離れて位置している。
【００２１】
一対の固着部３４は、板状部３３における前後方向の両端部から上方に向かって突出している。一対の固着部３４は、それぞれ、第１ベース２１の一対の反射板２４にねじ等の固着具を用いて取り付けられている。これにより、第１掛止部材３１は、ベース本体２３に取り付けられている。なお、第１掛止部材３１は、第１ベース２１のベース本体２３にのみ取り付けられてもよいし、第１ベース２１の一対の反射板２４及びベース本体２３に取り付けられてもよい。
【００２２】
第１掛止部３５は、第１ベース２１において連結具４が引っ掛けられる部分を構成している。第１掛止部３５は、板状部３３の上方に位置し、板状部３３における右側（第２ベース２２側）の端部から、左側（第２ベース２２とは反対側）に向かって突出している。本実施形態の第１掛止部３５は、左側に近い部分ほど上方に位置するように、水平に対して傾斜した板状に形成されている。
【００２３】
第２掛止部材３２は、第２ベース２２の溝部２７の内側に位置している。第２掛止部材３２は、例えば、金属製であって、金属板を曲げ加工することにより形成される。第２掛止部材３２は、固着部３６と、掛止部３７とを有している。以下、掛止部３７を第２掛止部３７という。固着部３６は、前後方向に延びた矩形の板状に形成されており、第２ベース２２の底板２５の下面から下方に離れて位置している。固着部３６における前後方向の両端部は、それぞれ、第２ベース２２の一対の反射板２４にねじ等の固着具を用いて取り付けられている。
【００２４】
第２掛止部３７は、第２ベース２２において連結具４が引っ掛けられる部分を構成している。第２掛止部３７は、固着部３６における左右方向の内側（右側）の端部から上方に向かって突出した板状に形成されている。第２掛止部３７の上端は、わずかな隙間を介して第２ベース２２の底板２５の下方に位置している。
【００２５】
第２ベース２２の底板２５は、連結具４が固定される固定部を構成している。底板２５（固定部）の左側の端部には、連結具４を底板２５に固定するためのねじ１０がねじ込まれるねじ孔３０が形成されている。
【００２６】
図３に示すように、一対の反射板２４は、それぞれ、ベース本体２３の一対の側板２６に一対一で対応している。各反射板２４は、例えば、金属製であって、金属板を曲げ加工することにより形成される。各反射板２４は、対応する側板２６にねじ等の固着具を用いて取り付けられている。各反射板２４は、ベース本体２３における左右方向の全長にわたっている。各反射板２４の左右方向の長さは、ベース本体２３の左右方向の長さよりもやや長い。各反射板２４の左右方向の両端部は、ベース本体２３から左右方向の外側に向かって突出している（図４参照）。
【００２７】
各反射板２４は、対応する側板２６から前後方向における外側に向かって突出した板状の反射部２４０を有している。各反射板２４の反射部２４０は、前後方向において対応する側板２６から離れた部分ほど下方に位置するように水平面に対して傾斜している。各反射板２４の下面は、光源装置５（図１参照）から発した光の一部を受けて下方に向かって反射する。ベース本体２３は、一対の反射板２４よりも上方に突出している。
【００２８】
第１ベース２１と第２ベース２２とを連結する連結具４は、例えば、金属製であり、金属板を曲げ加工することによって形成される。連結具４は、弾性を有している。本実施形態の連結具４は、弾力性に富んだステンレスから形成されている。
【００２９】
図５及び図６に示すように、連結具４は、第１固定部４１、第２固定部４２及び接続部４３を有している。本実施形態の第１固定部４１、第２固定部４２及び接続部４３は、一体に形成されている。
【００３０】
図７に示すように、第１固定部４１は、第１ベース２１に対して固定可能な部分である。第２固定部４２は、第２ベース２２に対して固定可能な部分である。接続部４３は、第１固定部４１と第２固定部４２とをつないでいる。本実施形態の第１固定部４１及び第２固定部４２は、第１ベース２１と第２ベース２２とが互いの長さ方向を平行にし、かつ、第１ベース２１と第２ベース２２とが第１ベース２１の長さ方向に並んだ状態において、第１ベース２１及び第２ベース２２に対してそれぞれ固定可能である。
【００３１】
本実施形態の第１固定部４１は、連結具４の左側の端部に形成されており、第１ベース２１に引っ掛けられることで、第１ベース２１に固定される。具体的に第１固定部４１は、前後方向に延び、かつ、第２ベース２２に近い部分ほど下方に位置するように水平面に対して傾斜した板状に形成されている。第１固定部４１は、第１ベース２１の第１掛止部３５における左側（第２ベース２２とは反対側）の面に接することで、第１掛止部３５に引っ掛けられ、右方及び上方への移動が規制される。
【００３２】
本実施形態の第２固定部４２は、連結具４の右側の端部に形成されており、第２ベース２２にねじ１０で固定される。具体的に第２固定部４２は、前後方向に延び、かつ、水平面に沿う板状に形成されている。第２固定部４２には、上下方向に貫通した貫通孔４４が形成されている。第２固定部４２は、貫通孔４４に通されたねじ１０が、第２ベース２２の底板２５（固定部）のねじ孔３０にねじ込まれ、第２固定部４２がねじ１０の頭部と第２ベース２２の底板２５との間に挟まれることにより、第２ベース２２に固定される。
【００３３】
本実施形態の接続部４３は、第１固定部４１における左側の端部と、第２固定部４２における左側の端部とをつないでいる。具体的に接続部４３は、撓み部４５と、引掛部４６とを有している。撓み部４５は、前後方向に延びた板状に形成されている。撓み部４５は、前後方向と直交する断面の形状が、右側に近い部分ほど上方に位置するように湾曲した弧状である。撓み部４５の左側の端部は、第１固定部４１の左側の端部につながっている。
【００３４】
引掛部４６は、前後方向に延び、かつ、鉛直面に沿った板状に形成されている。引掛部４６の下端部は、撓み部４５における右側の端部につながり、引掛部４６の上端部は、第２固定部４２における左側の端部につながっている。
【００３５】
引掛部４６は、複数の突起４７（図５、図６参照）を有している。複数の突起４７は、前後方向に間隔をあけて並んでいる。各突起４７は、引掛部４６の左側の面に形成されており、左側に向かって突出している。各突起４７は、例えば引掛部４６の一部を曲げることで形成される。
【００３６】
引掛部４６は、第２ベース２２の第２掛止部３７における右側（第１ベース２１とは反対側）の面に複数の突起４７の先端が接することで、第２掛止部３７に引っ掛けられ、左方への移動が規制される。
【００３７】
連結具４は、図８に示す引掛状態とすることができる。この引掛状態では、第２固定部４２はねじ１０によって第２ベース２２に固定されず、第１固定部４１は第１ベース２１の第１掛止部３５に引っ掛けられ、かつ、引掛部４６は第２ベース２２の第２掛止部３７に引っ掛けられる。この引掛状態においては、撓み部４５は外力が加えられていない自然状態よりも左右方向の寸法が長くなるように弾性変形し、第１固定部４１と引掛部４６とを近付ける方向の弾性力を発生させる。このため、連結具４は、連結具４自体から発生した弾性力によって、第１ベース２１及び第２ベース２２に対して保持されて仮固定される。
【００３８】
連結具４は、図７に示す固定状態とすることができる。この固定状態では、第１固定部４１は第１ベース２１に固定され、引掛部４６は第２ベース２２に引っ掛けられ、かつ、第２固定部４２は第２ベース２２にねじ１０で固定される。このように連結具４を固定状態とすることで、第１ベース２１と第２ベース２２とが、連結具４によって連結される。
【００３９】
撓み部４５は、上記固定状態において、上記引掛状態よりも左右方向の寸法が長くなるように弾性変形し、第１固定部４１と第２固定部４２とを近づける方向の弾性力を発生させる。この弾性力は、引掛状態における上記弾性力よりも大きい。この固定状態では、連結具４から、第１ベース２１及び第２ベース２２に対して、第１ベース２１と第２ベース２２とを近づける方向の力が付与される。このため、第１ベース２１と第２ベース２２とを連結具４で連結した状態では、図２に示すように、第１ベース２１の一対の反射板２４と、第２ベース２２の一対の反射板２４との端面同士が突き合わされて、第１ベース２１と第２ベース２２との間に隙間が形成され難い。
【００４０】
本実施形態の器具本体２は、一対の電源用端子台３８を更に有している。一対の電源用端子台３８は、第１ベース２１及び第２ベース２２に一対一でそれぞれ対応している。各電源用端子台３８は、対応するベース２１，２２の底板２５の下面に取り付けられている。
【００４１】
光源装置５は、一対の光源ユニット５０を有している。一対の光源ユニット５０は、第１ベース２１及び第２ベース２２と一対一でそれぞれ対応している。各光源ユニット５０は、対応するベース２１，２２に脱着可能に取り付けられる。
【００４２】
本実施形態の各光源ユニット５０は、図９に示すように、取付板５１、複数の光源モジュール５２、電源装置５３及びカバー５４を有し、これらを一つのユニットとした装置である。
【００４３】
取付板５１は、左右方向に延びた直線状で、かつ、長尺な部材である。取付板５１の上面には、電源装置５３が取り付けられている。本実施形態の各光源ユニット５０は、取付板５１の上面に取り付けられた制御用端子台を更に有している。
【００４４】
取付板５１の下面には、左右方向に並んだ複数の光源モジュール５２が取り付けられている。各光源モジュール５２は、基板５５と、基板５５の下面に実装された複数の光源５６とを有している。各基板５５は、プリント配線板である。各基板５５は、取付板５１の下面に沿って配置された状態で、取付板５１に取り付けられている。
【００４５】
本実施形態の各光源５６は、固体発光素子であり、詳しくは、発光ダイオードである。各基板５５に実装された複数の光源５６は、左右方向に間隔をあけて並んでいる。
【００４６】
各基板５５は、電線等を介して電源装置５３に電気的に接続されている。電源装置５３は、各基板５５に電力を供給する。これにより、各基板５５に実装された複数の光源５６に電力が供給される。各光源５６は、電源装置５３から電力が供給されることにより点灯し、下方に光を照射する。
【００４７】
取付板５１には、カバー５４が脱着可能に取り付けられている。本実施形態のカバー５４は、左右方向に延びた直線状で、かつ、長尺な部材である。カバー５４は、取付板５１及び複数の光源モジュール５２を下側から覆っている。カバー５４は、透光性を有している。このため、光源ユニット５０の各光源５６から発せられた光は、カバー５４を透過してカバー５４の下方に出る。
【００４８】
各光源ユニット５０は、例えば、取付板５１を、対応するベース２１，２２に脱着可能に嵌合することにより、図１に示すように、対応するベース２１，２２に脱着可能に取り付けられる。すなわち、本実施形態では、取付板５１を対応するベース２１，２２に対して固定することで、複数の光源５６（図９参照）がベース２１，２２に対して固定される。各光源ユニット５０は、ベース２１，２２に取り付けられた状態において、対応するベース２１，２２の一対の反射板２４の間に位置し、対応するベース２１，２２のベース本体２３を下側から覆う。また、この場合、第１ベース２１の第１掛止部材３１は、一対の光源ユニット５０の間に配置され、第２ベース２２の第２掛止部材３２は、対応する光源ユニット５０によって下側から覆われる。
【００４９】
照明器具１は、例えば、図２に示すように、嵌込孔９２が形成された天井材９１に対して施工される。この天井材９１の上方においては、複数の吊りボルト９０が躯体等に固定されている。嵌込孔９２は天井材９１において複数の吊りボルト９０に対応する箇所に形成されている。嵌込孔９２は、例えば、左右方向に延びた矩形状の孔である。天井材９１の上方には、一対の電源線９３、一対の制御線９４が配線されている。
【００５０】
照明器具１を天井に施工するにあたって、作業者は、以下に示すように第１ベース２１と第２ベース２２とを連結具４で連結して器具本体２を組み立てる。
【００５１】
作業者は、図５及び図６に示す連結具４の第１固定部４１を、図８に示す第１ベース２１の第１掛止部３５に引っ掛ける。続いて、作業者は、第１固定部４１を第１掛止部３５に引っ掛けた状態を維持しながら、引掛部４６を第２ベース２２の第２掛止部３７に引っ掛けて、連結具４を引掛状態とする。これにより、連結具４は、撓み部４５が左右方向に伸びるように弾性変形し、連結具４は、第１固定部４１と引掛部４６とを近付ける方向の自身の弾性力によって、第１ベース２１及び第２ベース２２に仮固定される。
【００５２】
上記のように連結具４を引掛状態としたとき、第２固定部４２は、第２ベース２２の底板２５（固定部）の下面に対向する。ただし、この状態における第２固定部４２は、図８に示すように、右側に近い部分ほど下方に位置するように水平な底板２５に対して傾斜する。このため、第２固定部４２と、底板２５の下面との間には、第２固定部４２の上方への移動を許容するための隙間が形成される。
【００５３】
次に作業者は、第２固定部４２の貫通孔４４に下方からねじ１０を挿入し、このねじ１０を第２ベース２２のねじ孔３０にねじ込む。これにより、図７に示すように、第２固定部４２がねじ１０の頭部と第２ベース２２の底板２５との間に挟まれて、底板２５の下面に面接触し、第２固定部４２が第２ベース２２の底板２５に固定される。
【００５４】
上記のように、図８に示す引掛状態にある連結具４が、第２ベース２２にねじ１０で固定されるとき、第２固定部４２は、ねじ孔３０にねじ込まれていくねじ１０の頭部によって上方に押される。このとき、連結具４には、第２掛止部３７において複数の突起４７が接する部分を支点として、第２固定部４２が底板２５に近づく方向の回転力が付与される。このため、撓み部４５は、上記回転力によって引掛状態よりも更に左右方向の寸法が長くなるように弾性変形する。これにより、図７に示す連結具４の固定状態では、連結具４において第１固定部４１と第２固定部４２とを近づける方向の大きな弾性力が発生する。つまり、この場合、連結具４は、ねじ１０によって第２固定部４２が押される力により弾性変形して前記弾性力を発生させる。
【００５５】
なお、連結具４に対して上記回転力が付与される際に支点となる部分は、第２掛止部３７に限られない。例えば、上記引掛状態において、連結具４の第２固定部４２と引掛部４６とでなす角部４８（図８参照）が、第２ベース２２の底板２５で支持されるようにし、この底板２５において角部４８を支持する部分を、上記回転力が付与される際の支点としてもよい。
【００５６】
次に作業者は、第１ベース２１と第２ベース２２とを連結具４で連結して組み立てられた器具本体２の複数のボルト用孔２９に、図２に示す複数の吊りボルト９０をそれぞれ通す。また、このとき、作業者は、一対の電源線９３及び一対の制御線９４を、器具本体２の複数の電線用孔２８に通す。
【００５７】
次に作業者は、器具本体２の第１ベース２１及び第２ベース２２を嵌込孔９２に嵌め込む。続いて作業者は、各吊りボルト９０にナットを取り付けて、器具本体２を複数の吊りボルト９０に対して固定する。
【００５８】
次に、作業者は、各電源線９３を対応する電源用端子台３８に電気的に接続する。また、各電源用端子台３８を対応する光源ユニット５０の電源装置５３に電線を用いて電気的に接続する。また、各制御線９４を対応する光源ユニット５０の制御用端子台に電気的に接続する。次に作業者は、各光源ユニット５０を対応するベース２１，２２に取り付ける。これにより、照明器具１は、天井に設置される。
【００５９】
上記実施形態の照明器具１は、適宜設計変更可能である。例えば、連結具４の形状や材質は、上記実施形態のものに制限されない。例えば、連結具４の引掛部４６に形成される突起４７の数は、一つであってもよいし、３以上であってもよい。また、突起４７は、引掛部４６における他の部分とは別の部材であってもよい。また、突起４７は、省略可能である。また、連結具４は、第２ベース２２に引っ掛けられる引掛部４６を有さなくてもよい。また、連結具４の第１固定部４１は、第１ベース２１に対して引っ掛け以外の固定手段によって固定されてもよく、例えば、ねじ等の固着具を用いて第１ベース２１に固定されてもよい。また、連結具４の第２固定部４２は、第２ベース２２にねじ１０以外の固定手段によって固定されてもよく、例えば、引掛けにより第２ベース２２に固定されてもよい。
【００６０】
また、第１ベース２１及び第２ベース２２の各々の形状、材質等は、上記実施形態のものに制限されない。また、上記実施形態の照明器具１は、第１ベース２１及び第２ベース２２とは別のベースを備えてもよい。この場合、別のベースは、例えば、上記実施形態の連結具４と同様の連結具によって、第１ベース２１又は第２ベース２２に連結されてもよい。
【００６１】
また、各反射板２４の左右方向の長さは、限定されず、対応するベース本体２３の左右方向の長さと同じであってもよいし、対応するベース本体２３の左右方向の長さよりも短くてもよい。
【００６２】
また、光源５６は、発光ダイオードに限られず、例えば、半導体レーザ等の半導体発光素子、有機エレクトロルミネセンス素子又は無機エレクトロルミネセンス素子等であってもよい。また、光源５６は、発光素子を一つだけ有してもよい。また、照明器具１は、光源５６を利用して照明を行うための器具であればよく、光源５６を必須の構成要件とするものではない。例えば、照明器具１は、器具本体２のみで構成されてもよい。
【００６３】
以上説明した、実施形態から明らかなように、第１の態様の照明器具（１）は、以下に示す構成を有する。照明器具（１）は、第１ベース（２１）と、第２ベース（２２）と、連結具（４）とを備えている。連結具（４）は、第１ベース（２１）と第２ベース（２２）とを連結する。連結具（４）は、第１固定部（４１）、第２固定部（４２）及び接続部（４３）を有している。第１固定部（４１）は、第１ベース（２１）に対して固定可能である。第２固定部（４２）は、第２ベース（２２）に対して固定可能である。接続部（４３）は、第１固定部（４１）と第２固定部（４２）とをつないでいる。連結具（４）は、第１固定部（４１）が第１ベース（２１）に固定され、かつ、第２固定部（４２）が第２ベース（２２）に固定された固定状態において、第１固定部（４１）と第２固定部（４２）とを近づける方向の弾性力を発生させる。
【００６４】
この態様によれば、連結具（４）を用いて、第１ベース（２１）と第２ベース（２２）とを、第１ベース（２１）と第２ベース（２２）とを近づける方向の力を加えた状態で、連結することができる。このため、第１ベース（２１）と第２ベース（２２）とが設計寸法よりも離れた状態で連結されることを抑制できる。
【００６５】
第２の態様の照明器具（１）は、第１の態様との組み合わせにより実現され得る。第２の態様の照明器具（１）は、以下の構成を有する。第１ベース（２１）及び第２ベース（２２）の各々は、直線状に形成されている。第１ベース（２１）と第２ベース（２２）とが第１ベース（２１）の長さ方向に並んだ状態において、第１固定部（４１）及び第２固定部（４２）は、第１ベース（２１）及び第２ベース（２２）に対してそれぞれ固定可能である。
【００６６】
この態様によれば、連結具（４）を用いて、第１ベース（２１）と第２ベース（２２）とを、第１ベース（２１）の長さ方向に並んだ状態で連結することができる。また、この場合、第１ベース（２１）と第２ベース（２２）とが、第１ベース（２１）の長さ方向において、設計寸法よりも離れた状態で連結されることを抑制できる。
【００６７】
第３の態様の照明器具（１）は、第１又は第２の態様との組み合わせにより実現され得る。第３の態様の照明器具（１）は、以下の構成を有する。第１固定部（４１）は、第１ベース（２１）に引っ掛けられることで、第１ベース（２１）に対して固定される。第２固定部（４２）は、ねじ（１０）によって第２ベース（２２）に固定される。
【００６８】
この態様によれば、第１固定部（４１）を第１ベース（２１）に対して容易に固定することができる。また、第２固定部（４２）を第２ベース（２２）に強固に固定することができる。
【００６９】
第４の態様の照明器具（１）は、第３の態様との組み合わせにより実現され得る。第４の態様の照明器具（１）は、以下の構成を有する。連結具（４）は、第１固定部（４１）が第１ベース（２１）に引っ掛けられた状態で、第２固定部（４２）がねじ（１０）によって第２ベース（２２）に固定される際に、このねじ（１０）によって第２固定部（４２）が押される力により弾性変形して前記弾性力を発生させる。
【００７０】
この態様によれば、第２固定部（４２）が第２ベース（２２）に固定される際において、ねじ（１０）が操作される力を利用して、連結具（４）に第１固定部（４１）と第２固定部（４２）とを近づける方向の弾性力を発生させることができる。
【００７１】
第５の態様の照明器具（１）は、第３又は第４の態様との組み合わせにより実現され得る。第５の態様の照明器具（１）は、以下の構成を有する。連結具（４）は、引掛部（４６）を有している。引掛部（４６）は、第２ベース（２２）に引っ掛け可能である。連結具（４）は、第２固定部（４２）がねじ（１０）によって第２ベース（２２）に固定されず、第１固定部（４１）が第１ベース（２１）に引っ掛けられ、かつ、引掛部（４６）が第２ベース（２２）に引っ掛けられた引掛状態とすることができる。連結具（４）は、引掛状態において、第１固定部（４１）と引掛部（４６）とを近付ける方向の弾性力を発生させる。
【００７２】
この態様によれば、第１固定部（４１）を第１ベース（２１）に引っ掛け、かつ、引掛部（４６）を第２ベース（２２）に引っ掛けることで、連結具（４）の弾性力を利用して、連結具（４）を第１ベース（２１）及び第２ベース（２２）に対して仮固定することができる。このため、第２固定部（４２）をねじ（１０）で第２ベース（２２）に固定する作業が容易になる。
【符号の説明】
【００７３】
１  照明器具
１０  ねじ
２１  第１ベース
２２  第２ベース
４  連結具
４１  第１固定部
４２  第２固定部
４３  接続部
４６  引掛部
【図１】
2020087760.tif 000003
【図２】
2020087760.tif 000004
【図３】
2020087760.tif 000005
【図４】
2020087760.tif 000006
【図５】
2020087760.tif 000007
【図６】
2020087760.tif 000008
【図７】
2020087760.tif 000009
【図８】
2020087760.tif 000010
【図９】
2020087760.tif 000011